(57)【要約】【課題】  条体を８の字状に維持して収容する容器を安価にかつ容易に製造する。【解決手段】  １枚のシート（３４）を折り曲げて形成された箱状体（１４）が、間隔を置いて互いに平行に位置する２つの主壁（２、４）と、これら２つの主壁の周縁部間をほぼ繋ぐ側壁（６、８）と端壁（１０、１２）とを、有している。主壁（２、４）の内面から、係合部（１６、１８）が、箱状体（１４）の内面側に向かって突出し、かつ端壁（１０）から離れて位置する。条体を８の字状に巻き、その８の字の２つのループの交差部分で２つに折り返した折り返し体を、交差部分側を端壁（１０）側に位置させた状態において、２つのループの交差部分と反対側の部分が、係合部（１６、１８）に係合している。
2011092925.tif 000002
【特許請求の範囲】
【請求項１】
間隔を置いて互いに平行に位置する２つの主壁と、これら２つの主壁の周縁部間をほぼ繋ぐ周壁とを、有する箱状体と、
前記２つの主壁の内面それぞれから、前記箱状体の内面側に向かって突出した状態で設けられ、前記周壁部上に予め定めた基準位置から離れて位置する２つの係合部とを、
具備し、条体を８の字状に巻き、その８の字の２つのループの交差部分で２つに折り返した折り返し体を、前記交差部分側を前記基準位置側に位置させた状態において、前記２つのループの前記交差部分と反対側の部分が、前記２つの係合部に係合するように、前記２つの係合部が形成されている条体の収容容器。
【請求項２】
請求項１記載の条体の収容容器において、前記２つの係合部は、前記２つの周壁側から先端側に向かうに従って外側に膨大する形状とされている条体の収容容器。
【請求項３】
請求項１記載の条体の収容容器において、前記２つの係合部の外周面には、その外周面を包囲するように複数の溝が前記主壁側から前記２つの係合部の先端側まで形成されている条体の収容容器。
【請求項４】
請求項１記載の条体の収容容器において、前記２つの係合部は、異なる大きさである条体の収容容器。
【請求項５】
請求項１記載の条体の収容容器において、前記２つの係合部は、同じ大きさで、前記基準位置からの距離が異なる位置に設けられている条体の収容容器。
【請求項６】
請求項１記載の条体の収容容器において、前記２つの主壁の内面には、前記２つの係合部それぞれの周囲から間隔を置いて前記２つの係合部をそれぞれ包囲するように２つの壁が形成され、これら２つの壁は、前記基準位置側において連通している条体の収容容器。
【請求項７】
請求項１記載の条体の収容容器において、前記周壁は、前記２つの主壁にそれぞれ一体に形成された周壁半部からなる条体の収容容器。
【発明の詳細な説明】
【技術分野】
【０００１】
本発明は、糸、紐またはリボンのような条体を収容する容器に関し、特に、８の字に巻かれた条体を収容するものに関する。
【背景技術】
【０００２】
条体として釣り糸を使用し、その釣り糸を８の字に巻いた糸巻きが特許文献１に開示されている。この糸巻きを使用すると、糸を解くとき、糸に巻き癖がつかず、しかも糸の引き出し作業が容易であるという利点がある。
【先行技術文献】
【特許文献】
【０００３】
【特許文献１】米国特許第７６９９２５６号
【発明の概要】
【発明が解決しようとする課題】
【０００４】
しかし、特許文献１の技術では、糸巻きに釣り糸を巻いたものを、別の箱に収容して販売する必要がある。糸巻きに糸を巻いた上で、この糸巻きを箱に収容しなければならず、その製造作業が面倒である。更に、糸巻きと箱とが必要であり、コスト高であった。【０００５】
本発明は、条体を解いても巻き癖がついていない上に、安価にかつ容易に製造することができる条体の収容容器を提供することを目的とする。
【課題を解決するための手段】
【０００６】
本発明の一態様の条体の収容容器は、箱状体を有している。この箱状体は、間隔を置いて互いに平行に位置する２つの主壁と、これら２つの主壁の周縁部間をほぼ繋ぐ周壁とを、有している。箱状体としては、２つの主壁と周壁部とを有するものであれば、種々のものを使用することができ、主壁としては、例えば多角形、円形、楕円のような様々な形状のものを使用することができる。この箱状体の内部に２つの係合部が設けられている。これら係合部は、前記２つの主壁の内面それぞれから、箱状体の内部に向かって突出しており、前記周壁部上に予め定めた基準位置から離れて位置している。条体を８の字状に巻き、その８の字の２つのループの交差部分で２つに折り返した折り返し体を、前記交差部分側が前記基準位置側に位置させた状態において、前記２つのループの前記交差部分と反対側の部分が、前記２つの係合部に係合するように、前記２つの係合部が形成されている。係合部としては、ループが係合できるものであれば、種々の形状のものとすることができ、例えば円柱状のもの、楕円柱状のもの、角柱状のもの、半円柱状のもの或いは半楕円柱状のものを使用することもできる。【０００７】
このように構成された条体の収容容器では、箱状体を組み立てる前に、例えば２つの係合部間に条体を８の字に巻いて、或いは予め８の字に巻いた条体の２つのループをそれぞれ係合部に架けて、箱状体を組み立てれば、そのまま販売することができる。従って、８の字に糸を巻いた糸巻きと、その糸巻きを収容する箱とを、別々に製造する必要がなく、低コストにしかも容易に条体の収容容器を製造することができる。【０００８】
前記２つの係合部は、前記主壁とは別個に形成し、主壁に取り付けることもできるし、主壁と一体に形成することもできる。主壁と一体に形成すると、係合部を主壁に取り付ける作業が不要となり、さらに製造が容易になる。【０００９】
前記２つの係合部は、前記２つの周壁側から先端側に向かうに従って周囲に膨大する形状とすることができる。例えば、係合部が円柱状のものである場合、その横断面である円の直径が、主壁の内面側にある横断面である円から先端側の横断面である円に向かうに従って徐々に大きくなっている。楕円柱、角柱、半円柱または半楕円柱の場合でも同様に横断面の形状が主壁の内面側から先端側に向かうに従って徐々に大きくなる。このように構成すると、係合部に条体のループが係合している場合、ループを構成している条体が係合部から抜けにくくなり、特に、係合部が樹脂製で、条体が係合部で滑りやすい材質のものの場合に有効である。【００１０】
また、前記２つの係合部の外周面には、その外周面を包囲するように複数の溝が前記主壁側から前記２つの係合部の先端側まで形成されているものとすることもできる。この場合も、係合部に条体のループが係合している場合、ループを構成している条体が係合部から抜けにくくなる。【００１１】
前記２つの係合部は、異なる大きさとすることもできるし、同じ大きさで、前記基準位置からの距離が異なる位置に設けられているものとすることもできる。これらのように構成すると、条体の２つのループとして大きさの異なるものを使用することができ、重なり合っている２つのループの接触面積を小さくすることができ、各ループに多数の条体が巻かれていても、解くときに２つのループの条体が絡まりにくくなる。【００１２】
前記２つの主壁の内面には、前記２つの係合部それぞれの周囲から間隔を置いて前記２つの係合部をそれぞれ包囲するように２つの壁を形成することもできる。この場合、これら２つの壁は、前記基準位置側に設けた通路によって連通している。【００１３】
このように構成すると、２つの壁の内部にそれぞれループを収容することができ、ループが解けかけても、壁に接触し、それ以上解けることがなく、２つのループから条体を解くときに、条体が絡み合うことを防止できる。【００１４】
前記周壁は、前記２つの主壁それぞれに一体に形成された周壁半部からなるものとすることもできる。このように構成すると、主壁に周壁半部が一体に形成されているので、シートの折り曲げ作業を減少させることができる。
【発明の効果】
【００１５】
以上のように、本発明によれば、条体を解いても巻き癖がついていない上に、安価にかつ容易に条体の収容容器を製造することができる。
【図面の簡単な説明】
【００１６】
【図１】本発明の第１の実施形態の収容容器の縦断側面図である。
【図２】図１の収容容器の底面図である。
【図３】図１の収容容器を展開した状態の平面図である。
【図４】図１の収容容器を展開した状態の縦断側面図である。
【図５】図３の展開状態において係合部間に釣り糸を巻いた状態の平面図である。
【図６】図５の状態から組立を進行させた途中を示す斜視図である。
【図７】第１の実施形態の第１の変形例の部分省略縦断面図である。
【図８】第１の実施形態の第２の変形例の部分省略縦断面図である。
【図９】第１の実施形態の第３の変形例の部分省略縦断面図である。
【図１０】本発明の第２の実施形態の収容容器を展開した状態の平面図である。
【図１１】本発明の第２の実施形態の収容容器を展開した状態の縦断側面図である。
【図１２】本発明の第２の実施形態の収容容器の縦断側面図である。
【図１３】本発明の第３の実施形態の収容容器を展開した状態の平面図である。
【図１４】本発明の第３の実施形態の収容容器を展開した状態の縦断側面図である。
【図１５】第３の実施形態の収容容器の組立の途中を示す斜視図である。
【図１６】本発明の第４の実施形態の収容容器の組立の途中を示す斜視図である。
【図１７】第４の実施形態の収容容器を展開した状態の縦断側面図である。
【発明を実施するための形態】
【００１７】
本発明の第1の実施形態の条体の収容装置は、条体として釣り糸を使用したもので、図１及び図２に示すように、主壁２、４を有している。主壁２、４は、ほぼ同一の大きさに形成された矩形、例えば長方形状のもので、予め定めた間隔をおいて平行に配置されている。この主壁２、４の外周縁部を覆うように、周壁として側壁６、８と端壁１０、１２が形成されている。これら主壁２、４、側壁６、８、端壁１０、１２によって箱状体１４が形成されている。
【００１８】
主壁２、４の内面それぞれには、係合部１６、１８が、主壁２、４と一体に形成されている。係合部１６、１８は、例えば端壁１２の近傍に位置する同一形状の柱状のもので、この実施形態では楕円柱状に形成されている。係合部１６は、主壁２から主壁４側に向かって突出し、逆に係合部１８は、主壁４側から主壁２側に向かって突出している。係合部１６、１８は、基準位置、例えば端壁１０からの距離が同じ位置に設けられている。両者の先端部は非接触である。さらに、係合部１６、１８は、主壁２、４の内面側からそれらの先端側に向かうに従って周縁方向に膨大となるように形成されている。例えば係合部１６、１８の横断面である楕円の長径及び短径が主壁２、４の内面側からそれらの先端側に向かうに従って徐々に大きくされている。
【００１９】
この箱状体１４内に折り返し体が配置されている。折り返し体は、釣り糸を８の字に巻いて、その２つのループ２０、２２を交差部分で折り返したもので、その交差部分が基準位置である端壁１０側に位置し、それらループ２０、２２の交差部分と反対側の部分が、係合部１６、１８に係合させられた状態に配置されている。なお、ループ２０、２２は、涙滴状の形状でほぼ同じ大きさとされている。
【００２０】
これら２つのループ２０、２２が絡み合うことを防止するために、側壁６と一体に矩形の仕切り壁２４が形成されている。仕切り壁２４は、側壁６において主壁４から所定の高さ位置、例え側壁６のほぼ半分の高さの位置にあり、端壁１０から端壁１２までの距離にほぼ等しい長さの長辺を有し、側壁６から側壁８側に向かって、端壁１０、１２の略半分の長さまで伸延している短辺を有する長方形状のものである。仕切り壁２４は、２つのループ２０、２２の交差部分で２つのループ２０、２２が接触することを防止している。
【００２１】
また、端壁１２には、釣り糸を引き出すための引き出し孔２６が形成されている。さらに、この引き出し孔２６への糸の通路を形成するために、係合部１６、１８と端壁１２との間の主壁２、４には、対応するように通路形成部２８、３０が一体に形成されている。さらに、この箱状体１４を吊り下げるための吊り下げ部３２が主壁２と一体に形成されている。吊り下げ部３２には、吊り下げ用の長孔３３が形成されている。
【００２２】
この収容容器は、図３、図４に示すように形成した１枚のシート、例えば透明な薄い合成樹脂シート３４を折り曲げて形成することができる。なお、半透明または不透明な合成樹脂シートを使用することもできるし、紙をシートとして使用することもできる。
【００２３】
このシート３４では、長方形状の主壁２、４が、それらの短辺の間に端壁１０を挟んで一列に配置されている。主壁２、４は、それぞれの長辺が一直線となるように配置されている。この主壁２、４に係合部１６、１８、通路形成部２８、３０が一体に形成されている。主壁２、４の隣接する短辺に、長方形状の端壁１０が、その両長辺を連ねて位置している。
【００２４】
主壁４の一方の長辺に長方形状の側壁８の一長辺を連ねて側壁８が形成されている。主壁４の他方の長辺に側壁６の長方形状の半部６ａの長辺を連ねて半部６ａが形成されている。半部６ａの主壁４と反対側の長辺に仕切板２４の長方形状の構成部２４ａの長辺を連ねて構成部２４ａが形成されている。構成部２４の半部６ａと反対側の長辺に、仕切板２４の残りの構成部２４ｂの長辺を連ねて構成部２４ｂが形成されている。構成部２４ａ、２４ｂは同一の大きさである。この構成部２４ｂの構成部２４ａと反対側の長辺に側壁６の残りの半部６ｂの長辺を連ねて半部６ｂが形成されている。半部６ｂも半部６ａと同一の大きさである。
【００２５】
主壁４の端壁１０と反対側の短辺に、長方形状の端壁１２の長辺を連ねて端壁１２が形成されている。端壁１２には引き出し孔２６が形成されている。端壁１２の両短辺には折り返し舌片３６ａ、３６ｂが形成されている。また、端壁１２の主壁４と反対側の長辺に連ねて折り返し部３８が形成されている。
【００２６】
主壁２の端壁１０と反対側の短辺に、長方形状の吊り下げ部の構成部３２ａの長辺を連ねて構成部３２ａが形成されている。構成部３２ａの主壁２と反対側の長辺に、吊り下げ部の構成部３２ｂの長辺を連ねて構成部３２ｂが形成されている。構成部３２ａ、３２ｂには、吊り下げ用の孔３３形成用の長孔３３ａ、３３ｂが形成されている。これら孔３３ａ、３３ｂは、破線で示す構成部３２ａ、３２ｂの境界部にある破線で示す折り線で折り返したとき、互いに重なるように形成されている。なお、図３において、他にも示す破線も折り線である。
【００２７】
この収容容器の組立は、例えば、次のように行われる。図５に示すように、２つの係合部１６、１８の間に釣り糸を８の字に所定ループ数だけ巻く。このとき、突起部１６、１８を先端側になる程、長径及び短径が大きくなるように形成しているので、巻いている間に釣り糸が解けにくい。また、予め別途８の字に巻いた釣り糸を係合部１６、１８間に掛ける。この場合でも、上述したように係合部１６、１８を形成しているので、係合部１６、１８間に釣り糸を掛けやすい。
【００２８】
次に、図６に示すように、側壁８と主壁４との境界にある折り線に沿って側壁８を谷折りし、側壁８を立ち上げる。同様に側壁６の半部６ａを主壁４との境界にある折り線に沿って谷折りし、半部６ａを立ち上げる。そして、半部６ａと仕切板２４の構成部２４ａとの境界にある折り線に沿って構成部２４ａを谷折りし、主壁４側に倒す。次に、構成部２４ａ、２４ｂの境界にある折り線に沿って構成部２４ｂを山折りし、側壁６側に倒す。これによって、仕切り壁２４が形成される。そして、構成部２４ｂと側壁６の半部６ｂとの境界にある折り線に沿って半部６ｂを谷折りし、立ち上げる。これによって、側壁６が形成される。この状態が、図６に示されている。
【００２９】
次に、端壁１２を、主壁４との境界にある折り線に沿って谷折りし、端壁１２を立ち上げる。主壁２を端壁１０との境界にある折り線に沿って谷折りし、側壁６、８上に重ねる。このとき、ループ２０側から釣り糸を引き出す場合、その糸の引き出し端を引き出し孔２６に挿通して外部に引き出す。次に、吊り下げ部３２ａ、３２ｂの境界にある折り線に沿って吊り下げ部３２ｂを谷折りし、吊り下げ部３２ｂの先端部を主壁２の内側に入れる。このとき、吊り下げ用の孔３３ａ、３３ｂが一致し、これらによって吊り下げ用の長孔３３が形成される。また、折り返し部３８を、端壁１２との境界にある折り線に沿って谷折りし、主壁２の内側に入れ、吊り下げ部３２ｂの先端部と接触させる。そして、折り返し舌片３６ａ、３６ｂを端壁１２との境界にある折り線に沿って谷折りして、折り返し部３８に接触させる。なお、適切な接着剤を使用して、側壁８と端壁１２と主壁２とを接着し、同様に側壁半部６ｂと主壁２と端壁１２とを接着することも可能である。
【００３０】
このように係合部１６、１８間に釣り糸を巻き、組み立てるだけで、箱状体１４内に釣り糸を８の字に巻いた状態で収容できる。
【００３１】
上記の実施形態では、ループ２０、２２を同じ大きさとしたので、係合部１６、１８には同じ大きさのものを端壁１０から同じ距離に設けたが、ループ２０、２２の大きさを異ならせるなら、例えば図７に示すように、係合部１６、１８を同じ大きさとして、端壁１０からの距離を異ならせるか、図８に示すように係合部１６、１８の大きさを異ならせて、端壁１０から同じ距離に配置することができる。
【００３２】
また、係合部は、一律の径を持つ楕円柱や円柱や角柱とすることもできる。但し、係合部を合成樹脂で形成する関係上、釣り糸が滑りやすくなることがある。そのような場合に対処するために、図９に示すように、係合部１６ａ、１８ａの外周部に主壁２、４側から係合部１６ａ、１８ａ、側の先端側まで多数の溝４０、４２を形成することもできる。
【００３３】
第２の実施形態の収容容器に使用するシート３４ａを図１０、図１１に示し、このシート３４ａに基づいて形成した収容容器を図１２に示す。この実施形態の収容容器は、主壁２の内面に壁４４ａ、４４ｂを、主壁４の内面に壁４６ａ、４６ｂを形成し、ループ収容部４７ａ、４７ｂを形成したものである。他の構成は、第１の実施形態の収容容器と同様である。同等部分には、同一符号を付して、その説明を省略する。
【００３４】
壁４４ａ、４４ｂは、主壁２の長辺に沿って係合部１６の両側に係合部１６から距離をおいて位置し、係合部１６の係合された涙滴状の１つのループがそれらの内面に接触した状態で収容できるように壁４４ａ、４４ｂを合わせた形状が涙滴状となるように形成されている。壁４４ａ、４４ｂは、係合部１６の先端よりも突出している。壁４６ａ、４６ｂも同様に構成されている。なお、壁４４ａ、４４ｂの吊り下げ部３２ａの端部と、壁４６ａ、４６ｂの端壁１２側の端部とには、ループから解かれた釣り糸を引出口２６に導くための開口５０、５２が形成されている。同様に、壁４４ａ、４４ｂの端壁１０側の端部と、壁４６ａ、４６ｂの端部１０側の端部とには、２つのループの交差部分を端壁１０側に位置させるための開口５４、５６が形成されている。
【００３５】
このように構成した収容容器では、壁４４ａ、４４ｂ、４６ａ、４６ｂを形成しているので、壁４４ａ、４４ｂの内部に１つのループが、壁４６ａ、４６ｂの内部にもう１つのループがそれぞれ壁４４ａ、４４ｂ、４６ａ、４６ｂの内面に接触した状態で配置されるので、各ループの姿勢が変化しにくく、釣り糸を解いていく際に、絡みにくくなる。
【００３６】
第３の実施形態の収容容器を図１３乃至図１５に示す。この収容容器の組立用のシート３４ｂは、第１及び第２の実施形態と同様に薄い合成樹脂製で、図１３及び図１４に示すように、主壁２ａ、４ａがループの形状に合わせて涙滴状に形成され、主壁２ａ、４ａの細い側の端部が隣接するように一列に配置されている。主壁２ａ、４ａの周縁部から上方に向かって周壁半部５８ａ、５８ｂ、６０ａ、６０ｂが突出し、ループ収容部６３ａ、６３ｂが形成されている。周壁半部５８ａ、５８ｂにおける主壁２ａの太い側の端部には外側に向けて通路６２が形成され、主壁６０ａ、６０ｂにおける主壁４ａの太い側の端部には外側に向けて通路６４が形成されている。また、周壁半部５８ａ、５８ｂにおける主壁２ａの細い側の端部には開放部６５ａが形成され、同様に周壁半部６０ａ、６０ｂにおける主壁４ａの細い側の端部にも開放部６５ｂが形成されている。これら周壁半部５８ａ、５８ｂ、６０ａ、６０ｂの突出端から水平にフランジ６６ａ、６６ｂ、６８ａ、６８ｂが突出している。フランジ６６ａ、６８ａの外方端縁が一直線上に位置し、フランジ６６ｂ、６８ｂの外方端縁が一直線上に位置している。主壁２ａ、４ａの細い側の端面において、フランジ６６ａと６８ａとが細い連結部７０ａによって連結され、フランジ６６ｂと６８ｂとが連結部７０ｂによって連結されている。これら連結部７０ａ、７０ｂによって、開放部６５ａ、６ｂが連通している。
【００３７】
無論、主壁２ａ、４ａには、係合部１６、１８が周壁５８ａ、５８ｂ、６０ａ、６０ｂと間隔をおいて突出している。周壁半部５８ａ、５８ｂ、６０ａ、６０ｂの突出量が、係合部１６、１８の突出量よりも大きい。
【００３８】
フランジ６６ａ、６６ｂの通路６２側には、これらと連ねて取付部７２が一体にかつ水平に形成されている。取付部７２の中央には、通路６２から糸引き出し溝７４が直線状に取付部７２の端縁まで形成されている。この溝７４の両側に固定用の突起７６ａ、７６ｂが形成されている。同様に、フランジ６８ａ、６８ｂの通路６４側には、これらと連ねて取付部７８が一体にかつ水平に形成されている。取付部７８の中央には、通路６４から糸引き出し溝８０が直線状に取付部７８の端縁まで形成されている。引き出し溝８０は、引き出し溝７４に対応する位置に形成されている。引き出し溝８０の両側には固定用器の凹部８２ａ、８２ｂが形成されている。これら凹部８２ａ、８２ｂは、突起７６ａ、７６ｂに対応する位置に形成されている。後述するように連結部７０ａ、７０ｂでシート３４ｂが折り曲げられたとき、凹部８２ａ、８２ｂに突起７６ａ、７６ｂが係合し、折り曲げられた状態を維持する。
【００３９】
また、フランジ６８ａの外方端縁に連ねて長方形状の仕切板８４が一体に形成されている。この仕切板８４は、ループ収容部６３ｂのほぼ半分を覆うことができる大きさの長方形状である。
【００４０】
このようなシート３４ｂにおいて、図１３乃至図１５には図示していないが、係合部１６、１８間に８の字に釣り糸を巻くか、予め８の字に巻いた釣り糸を係合部１６、１８間に掛ける。この場合、ループがそれぞれループ収容部６３ａ、６３ｂ内に位置し、連結部７０ａ、７０ｂの間にループの交差部分が位置する。この状態において、例えばループ収容部６３ｂ側のループから釣り糸を解く場合、釣り糸の引き出し先端を通路６４を通して溝８０上に置く。この状態において仕切り版８４をループ収容部６３ｂ上に折り曲げ、連結部７０ａ、７０ｂの部分でシート３４ｂを折り曲げて、突起７６ａ、７６ｂを凹部８２ａ、８２ｂに係合させる。これによって、周壁半部５８ａと６０ａとが重なり、かつ周壁半部５８ｂと６０ｂとが重なり、周壁がそれぞれ形成される。これによって８の字に巻いた釣り糸の２つのループそれぞれを、２つのループ収容部６３ａ、６３ｂが形成した収容空間内に収容することができる。このようにわずかな作業で、収容容器を完成することができる。
【００４１】
図１６及び図１７に第４の実施形態の収容容器を示す。この収容容器では、第３の実施形態の収容容器の主壁２ａ、４ａを、フランジ６６ａ、６６ｂ、６８ａ、６８ｂの外方端縁に対応する位置まで延長し、かつ取付部７２、７８の端縁に対応する位置までそれぞれ延長して長方形状の主壁２ｂ、４ｂとしてある。フランジ６６ａ、６６ｂ、６８ａ、６８ｂの外方端縁及びこれらに対応する主壁２ｂ、４ｂの位置まで側壁８６ａ、８６ｂ、８８ａ、８８ｂが形成されている。また、取付部７２、７８の端縁及びこれらに対応する主壁２ｂ、４ｂの位置まで端壁９０、９２が形成されている。他の構成は、第３の実施形態の収容容器と同様であるので、同等部分には同一符号を付して、説明を省略する。
【００４２】
主壁２ｂ、フランジ６６ａ、６６ｂ、側壁８６ａ、８６ｂ及び端壁９０によって１つの箱状体を形成し、その内部にループ収容部６３ａを備え、主壁４ｂ、フランジ６８ａ、６８ｂ、側壁８８ａ、８８ｂ及び端壁９２によって１つの箱状体を形成し、その内部にループ収容部６３ｂを備える構成とすることによって、容易に成型することができる。
【００４３】
第２乃至第４の実施形態においても、第１の実施形態の変形例として示した図７乃至図９に示したように突起１６、１８の位置を変更したり、大きさを変更したり、突起の外周縁部に複数の溝を設けたりすることができる。上記の各実施形態では、条体として釣り糸を使用したが、これに限ったものではなく、毛糸、紐、リボン等の条体を使用することもできる。上記の各実施形態では、係合部１６、１８は、主壁と一体に形成したが、主壁と別個に形成し、別個に形成した係合部を主壁に固定することも可能である。仕切り壁は、主壁のほぼ半分を覆う大きさとしたが、全体を覆う大きさとすることもできる。
【符号の説明】
【００４４】
２  ４  主壁
６  ８  側壁（周壁）
１０  １２  端壁（周壁）
１４  箱状体
１６  １８  係合部
２０  ２２  ループ
【図１】
2011092925.tif 000003
【図２】
2011092925.tif 000004
【図３】
2011092925.tif 000005
【図４】
2011092925.tif 000006
【図５】
2011092925.tif 000007
【図６】
2011092925.tif 000008
【図７】
2011092925.tif 000009
【図８】
2011092925.tif 000010
【図９】
2011092925.tif 000011
【図１０】
2011092925.tif 000012
【図１１】
2011092925.tif 000013
【図１２】
2011092925.tif 000014
【図１３】
2011092925.tif 000015
【図１４】
2011092925.tif 000016
【図１５】
2011092925.tif 000017
【図１６】
2011092925.tif 000018
【図１７】
2011092925.tif 000019
【国際調査報告】
2011092925.tif 000020
2011092925.tif 000021
2011092925.tif 000022